Podtech/llm-jp-corpus-v4-ja_patent huggingface dataset:
(57)【要約】【課題】上向き（仰臥）時と横向き（側臥）時では、快適と感じる枕の高さが異なり、頭部を支える位置が適切でない場合には、首・肩などへの負担をかけるものであり、特に長期間病床にあり患者の苦痛は察して余りあるものである。【解決手段】本発明は、上下動する枕部分と肩・背中部分に敷き就寝中の姿勢をセンサーする部分により構成される装置であり、センサー機能は、上向き（仰臥）時には背中の部分からの広い範囲の圧力に反応し、横向き（側臥）時には、肩の部分からの比較的狭く強い圧力に反応するものであり、これにより、枕の内部に組み込まれた側面の形状が楕円形をなす円筒状のものが、モーターなどにより例えば９０度回転することにより枕を高くし、或いは枕を低くする装置である。【選択図】    図１
2004223191.tif 000002
【特許請求の範囲】
【請求項１】
センサー機能を利用することにより就寝中に上向き（仰臥）時には枕が低くなり、横向き（側臥）時には枕が高くなる装置である。
【請求項２】
上下動する枕部分と肩・背中部分に敷き就寝中の姿勢をセンサーする部分により構成される装置である。
【請求項３】
センサー機能は、上向き（仰臥）時には背中の部分からの広い範囲の圧力に反応し、横向き（側臥）時には、肩の部分からの比較的狭く強い圧力に反応するものである。
【請求項４】
センサー機能により就寝時の上向き（仰臥）および横向き（側臥）の姿勢を識別し、枕を上下動させる装置である。
【請求項５】
枕の内部に組み込まれた側面の形状が楕円形をなす円筒状のものが、モーターなどにより例えば９０度回転することにより枕を高くし、或いは枕を低くする装置である。
【発明の詳細な説明】
【０００１】
【発明の属する技術分野】
この発明は、センサーにて就寝中の姿勢を感知し、上向き（仰臥）時には枕を高くし、横向き（側臥）時には枕を低くすることにより、快適な睡眠をもたらすものであり、特に長期間床についている患者には寝返りを容易にし、床擦れを起こしにくくする装置である。
【０００２】
【従来の技術】
従来、高い枕は横向き（側臥）時には快適であるが上向き（仰臥）時には首などに負担をかけるものであり、低い枕は上向き（仰臥）時には快適であるが横向き（側臥）時には首・肩などに負担をかけるものであり、特に、長期間病床にある患者には寝返りを打ちにくくし、床擦れの原因ともなるものであった。
【０００３】
【発明が解決しようとする問題】
上向き（仰臥）時と横向き（側臥）時では、快適と感じる枕の高さが異なり、頭部を支える位置が適切でない場合には、首・肩などへの負担をかけるものであり、特に長期間病床にあり患者の苦痛は察して余りあるものである。
【０００４】
【課題を解決する手段】及び
【０００５】
【発明の実施の形態】
本発明は、上下動する枕部分と肩・背中部分に敷き就寝中の姿勢をセンサーする部分により構成される装置であり、センサー機能は、上向き（仰臥）時には背中の部分からの広い範囲の圧力に反応し、横向き（側臥）時には、肩の部分からの比較的狭く強い圧力に反応するものであり、これにより、枕の内部に組み込まれた側面の形状が楕円形をなす円筒状のものが、モーターなどにより例えば９０度回転することにより枕を高くし、或いは枕を低くする装置である。
【０００６】
【発明の効果】
この発明により、就寝中に、上向き（仰臥）時には枕は低い状態となり、横向き（側臥）時には枕は高くなることにより、首・肩の負担を軽くし、また寝返りを容易にするものである。  このことにより、特に長期間病床にある患者の身体上の負担を大幅に軽減できること、また、患者を介護する際にも患者を横向きにするだけで、枕が高くなり患者の頭部を枕が支えることとなり、介護を容易にするものである。
【図面の簡単な説明】
【図１】本発明のセンサー機能付き自動上下動枕の概略側面図である。
【符号の説明】
１．センサー部分
２．枕の内部に組み込まれた円筒部分
【図１】
2004223191.tif 000003
(57)【要約】【課題】近年、頭枕、腰枕、足枕を健康上使用する例がよく見られる。しかしながら、それぞれの枕は形状が不ぞろいで数も多いため収納や持ち運びには不便であった。このように複数の枕をよりコンパクトに収納し，持ち運びも用意でファッション性のあるものが期待されていた。【解決手段】そこで、頭枕、腰の下に敷き腰痛等を和らげる腰枕、血行等を良くする足枕をそれぞれの凹凸を利用してうまく組み合わせる事により、収納や持ち運びに便利な直方体に近い形して上記課題を解決した。さらに、個々の枕はデザイン性にも優れ居間に置けばクッションとしての役割も備えた。【選択図】        図１
2004223106.tif 000002
【特許請求の範囲】
【請求項１】
頭枕と腰枕と足枕のうち少なくとも２点で構成される枕セットであって、前記複数の枕を組み合わせることにより、収納もしくは持ち運びに適した形状にすることを特徴とした収納型枕セット。
【発明の詳細な説明】
【０００１】
【発明が属する技術分野】
本発明は、頭枕、腰枕、足枕の枕セットであって、複数の枕を組み合わせてより体積が小さく更に持ち運びが容易な形する収納型枕に関するものである。
【０００２】
【従来の技術】
頭の下に敷く頭枕、腰の下に敷いて腰痛等を防ぐ腰枕、足の下に敷き血行等を良くする足枕は従来から存在していた。またその一つ一つは独立して存在しており、頭枕と腰枕と足枕をうまく組み合わせて収納ないしは持ち運びを良くする等の工夫は見られなかった。
【０００３】
【発明が解決しようとする課題】
従来の枕の形は、頭枕、腰枕、足枕ともそれぞれの機能を満足させることのみに視点があったため、収納に関しては非常に非効率で大きな場所を必要とした。さらに、持ち運び時にも枕の数が多く形もまちまちなので持ち運びにくいのが現状であった。
【０００４】
【課題を解決するための手段】
そこで、本発明は頭枕、腰枕、足枕を組み合わせることで収納や持ち運びを容易にすることを目的とした。すなわち、頭枕と腰枕と足枕の凸部と凹部とを互いに組み合わせ、直方体に近い形にすることにより収納と持ち運びを容易にするように発明した。
【０００５】
【発明の実施の形態】
実施の形態は、頭の下に敷く頭枕、腰痛等を和らげる腰枕、血行等を良くする足枕を少なくとも２点以上で構成し、互いに凸部と凹部を差し込みあい収納や持ち運びが容易になる形状を目指した。
【０００６】
【実施例１】
図１は、本発明の実施例１の図であって、頭枕（１）の下部の凹みと腰枕（２）の上部の凸が互いに入り込み、さらに腰枕（２）の下部の凹みと足枕（３）の中央上部の凸が互いに入り込み３つの枕を組み合わせることにより体積を小さくしている。３つの枕が組み合わされて枕セット（４）が構成され、収納や持ち運びに便利な形になっている。なお、３つの枕を使用している状態を使用例（５）で示した。
【０００７】
【実施例２】
図２は、本発明の実施例２の図であって、頭枕（６）の中央の中空部に腰枕（７）をはめ込み、さらに頭枕（６）の下部の凸と足枕（８）の上部の凹みが互いに入り込み３つの枕を組み合わせることにより体積を小さくしている。３つの枕が組み合わされて枕セット（９）が構成され、収納や持ち運びに便利な形になっている。なお、３つの枕を使用している状態を使用例（１０）で示した。
【０００８】
【発明の効果】
以上説明したように本発明の収納型枕セットは以下の効果を有する。
１．頭枕と腰枕と足枕を組み合わせることにより、収納に便利でさらに持ち運びも容易になる。
２．腰枕と足枕を頭枕と併用することで背中枕としての機能も持ち背筋を安定させることができる。
３．従来の枕に意匠としてのデザイン的効果が得られる。
４．上記３つの枕は、インテリアとしてフローリング床やカーペットの上でも座布団として利用できる。
【図面の簡単な説明】
【図１】収納型枕セットの実施方法を示した説明図である。（実施例１）
【図２】さらに別の収納型枕セットの実施方法を示した説明図である。（実施例２）
【符号の説明】
１    頭枕
２    腰枕
３    足枕
４    枕セット
５    使用例
６    頭枕
７    腰枕
８    足枕
９    枕セット
１０  使用例
【図１】
2004223106.tif 000003
【図２】
2004223106.tif 000004
(57)【要約】【課題】距離感が不適切なパツトの場合、ゴールへ入つたボールがゴールの外へ出るようにする。【解決手段】一体形成するように構成した複数の支柱１と支柱１の間に、ゴムひも２を張設する。【選択図】            図１
2004223189.tif 000002
【特許請求の範囲】
【請求項１】
一体形成するように構成した複数の支柱（１）と支柱（１）の間の下方部に、ゴムひも（２）を張設したパツト練習具。
【請求項２】
任意形状の底板（３）に複数の支柱（１）を立設し、支柱（１）と支柱（１）の間の下方部に、ゴムひも（２）を張設したパツト練習具。
【請求項３】
逆Ｕ字形状の枠体（４）の両側板（５）下方部の前後にゴムひも（２）を張設したパツト練習具。
【発明の詳細な説明】
【０００１】
【産業上の利用分野】
本発明は、ゴルフのパツトの練習をするとき、方向と距離感を習熟できるようにしたパツト練習具に関する。
【０００２】
【従来の技術】
これまでは、ゴルフ場以外で、パツトの練習をする用具は各種のものが知られている。すなわち、用具に設けたカツプにボールをパツトして入れるか、図４  に示すようなカツプを床面に置いてボールをパツトして練習していた。
【０００３】
【発明が解決しようとする課題】
前記した練習具には、次のような欠点があった。パツテングの技術を向上させるためには、ボールの方向と距離感を習熟することが重要であるが、これらの練習具を使用した場合、ボールを強くパツトしてもカツプに入ることが多く、そのときのパツテングの距離感の適否を判断することは難しかつた。
【０００４】
本発明が解決しようとする課題は、パツトしてボールがゴールに入つた場合、そのパツトの距離感が適切でない場合、ボールがゴール外へ出るようにする点にある。
【０００５】
【課題を解決するための手段】
上記課題を達成するために、本発明のパツト練習具においては、一体形成するように構成した複数の支柱と支柱の間の下方部に、ゴムひもを張設したものである。ゴムひもは各支柱の外側に、且つ、支柱の上下に添つて可動可能に引張力を持たせて取り付けるとよい。
【０００６】
ゴムひもを設ける位置は、後述するように試行して決めるとよい。まず、普通の強さでボールをゴムひもに当てる。ボールは、ゴールの前側のゴムひもを押し下げてゴールに入り、ゴールの後側のゴムひもによつて止まることを確認する。次に、強めのボールをゴムひもに当てる。ボールがゴールに入つた後、後側のゴムひもを押し下げて、ゴール外へ出ることを確認する。以上のことを試行して、ゴムひもを支柱の外側に添つて上下させ適切なゴムひもの位置を決めるとよい。
【０００７】
また、二つの支柱は逆Ｕ字形状を形成し、中央部に小穴を穿設してボルトとナツトで回動自在に一体化するとよい。
【０００８】
また、ゴムひもを張設する方法として、任意形状の底板の隅に複数の支柱を立設し、支柱と支柱の間の下方部にゴムひもを張設してもよい。更に、逆Ｕ字形状の枠体の両側板の下方部の前後にゴムひもを張設してもよい。
【０００９】
【作用】
逆Ｕ字形状の支柱を２本用意して、互いに交差するようにボルトとナツトで固定して一体化する。そして、支柱の外側、且つ、適切な位置にゴムひもを張設すると、そのゴムひもの内側の空間がゴールとなる。更に、その空間を目指してボールをパツトすると、強さの適切な打球であると、ボールは前側のゴムひもを押し下げ、且つ、乗り越えてゴールに入るが、ゴムひもで勢いが減速されるので、後側のゴムひもでゴール外に出ることが防止される。また、強過ぎるボールの場合は、ゴムひもで十分に減速されないので、後側のゴムひもを押し下げ、且つ、乗り越えてゴール外へ出る。このことにより打球の不適切さを知り、距離感の習熟度を深めることができる。
【００１０】
【発明の実施の形態】
発明の実施の形態を実施例にもとづき図面を参照して説明する。
図１において、ゴール７は二つの支柱１の組み合わせとゴムひも２からなつている。支柱１は逆Ｕ字形状をして垂直棒５と水平棒６で構成している。水平棒６の中央部に小穴を穿設して、二つの支柱１の小穴にボルト８を通し、十字に交差するように蝶ナツト９で固定し一体化している。また、各支柱１の下方部、且つ、支柱１の外側にゴムひも２を張設している。ゴムひも２と垂直棒５の内側と水平棒６の下側の空間をゴール７としている。
【００１１】
図２に示される実施例では、四角形状の底板３の隅部に丸棒状の支柱１を立設している。支柱１の下方部にゴムひも２を張設し、支柱１とゴムひも２の内側と底板３の上側の空間をゴール７としている。
【００１２】
図３に示される実施例では、逆Ｕ字形状の枠体４の側板１０の下方部、且つ、側板１０の外側にゴムひも２を張設している。ゴムひも２と側板１０の内側の空間をゴール７としている。
【００１３】
【発明の効果】
本発明は、以下説明したように構成されているので、以下に記載されるような効果を奏する。
【００１４】
ゴムひもを張設する高さを調整することにより、強いボールを打つた場合、ボールはゴールへ入つた後、後側のゴムひもを押し下げてゴール外へ出るので、パツトの距離感の適否を判断することができるようになつた。
【図面の簡単な説明】
【図１】実施例１を示す斜視図である。
【図２】実施例２を示す斜視図である。
【図３】実施例３を示す斜視図である。
【図４】従来のカツプを示す参考図である。
【符号の説明】
１  支柱
２  ゴムひも
３  底板
４  枠体
５  垂直棒
６  水平棒
７  ゴール
８  ボルト
９  蝶ナツト
１０  側板
【図１】
2004223189.tif 000003
【図２】
2004223189.tif 000004
【図３】
2004223189.tif 000005
【図４】
2004223189.tif 000006
(57)【要約】【課題】誰でも低高度から降下できるように、空気より比重の小さいガス（ヘリューム等）注入式の小型パラシュートを提供する。【解決手段】ボンベ（１）に空気より比重の小さいガス（ヘリューム等）を高圧縮封入しておきボンベ（１）にはガス注入弁（２）を設け、これにより袋状天蓋（３）に体重格差による降下速度調整の為、任意に任意のガス量を注入でき、そして袋状天蓋の端部を鳥の翼の断面形状とする事でガス及び天蓋端部形状の両浮力作用で補助ができる為、小型であることを特徴とする。【選択図】  図１
2004223190.tif 000002
【特許請求の範囲】
【請求項１】
不燃性及び難燃性密封袋状の天蓋に別置きしたボンベ（１）の中に空気より比重の小さいガス（ヘリュウム等）を高圧縮封入しおき、ボンベ（１）を肩掛け（４）部に、ボンベ（１）にはガス注入弁（２）を設けガス注入弁は操作している間ガスが注入できる構造とし、通常時は操作できないようにロックピン（６）を設る。そして、袋状天蓋（３）とボンベ（１）は接続チューブで接続し、ガス注入前の収納は、肩掛け（４）背面へ受体兼用収納帯（７）によりきホック（９）等で収納しておき使用時は、この受体兼用収納帯（７）を人体の股間や動物の腹部を通し肩掛け（４）前面部の両フック（８）に装着できることを特徴とするパラシュートである。
【発明の詳細な説明】
【０００１】
【発明の属する技術分野】
この発明は、袋状天蓋の中に空気より比重の小さい高圧縮ガスを小型ボンベより、任意に任意の量を瞬時に注入でき且つ、低高度より降下できるパラシュートに関するものである。
【０００２】
【従来の技術】
従来、天蓋を開くための補助としてガス袋体を用いたものがある。（例えば文献１参照）。
【０００３】
【特許文献１】
特開平７−１９４７１７（第５頁）
【非特許文献１】
【０００４】
【発明が解決しようとする課題】
これは次のような欠点があった。
（イ）天蓋は従来のものと変わりなく空気対抗のみに依り降下する為、体重格差（大人と子供等）による降下速度の調節ができない。
（ロ）第１図６のような装着具では身体に障害のある人及び小動物等には装着が困難である。
（ハ）空気対抗のみの天蓋の為小型化には期待できない。
本発明はこれらの欠点を解消する為に、なされたものである。
【０００５】
【課題を解決する手段】本発明は、不燃性及び難燃性密封袋状の天蓋に別置きしたボンベ（１）の中に空気より比重の小さいガス（ヘリュウム等）を高圧縮封入しおき、ボンベ（１）を肩掛け（４）部に、ボンベ（１）にはガス注入弁（２）を設け、ガス注入弁（２）は操作している間ガスが注入しうる構造とし通常時は操作できないようにロックピン（６）を設る。
そして袋状天蓋（３）とボンベ（１）は接続チューブ（５）で接続しガス注入前の収納は、肩掛け（４）の背面へ受体兼用収納帯（７）によりホック（９）等で収納しておき、使用時はこの受体兼用収納帯（７）を人体の股間や動物の腹部を通し肩掛け（４）前面の両フック（８）に受体兼用収納帯（７）の止め穴（１０）が装着できる。
本発明は、以上のような構成よりなる、パラシュートである。
【０００６】
【本発明の実施の形態】
以下、本発明の実施の形態について説明する。
（イ）．ボンベ（１）の中に空気より比重の小さいガスを高圧縮封入しておく
（ロ）．ボンベ（１）の上部にガス注入弁（２）を設け弁操作部分にロックピン（６）を設ける。
（ハ）．袋状天蓋（３）はボンベ（１）と接続チューブ（５）で接続されている。
（ニ）．肩掛け（４）背面及び受体兼用収納帯（７）には袋状天蓋（３）を収納できるようホック（９）を受体兼用収納帯（７）を肩掛け（４）に止められるよう止め穴（１０）と肩掛け（４）前面両部にはフック（８）をそれぞれ設ける。
本発明は以上のような構造で、これを使用するには、まず受体兼用収納帯（７）を肩掛け（４）背面のホック（９）を外す。そして人体の場合肩掛け（４）に両腕を通し受体兼用収納帯（７）を股間より廻し受体兼用収納帯（７）の止め穴（１０）を肩掛け（４）前面部の両フック（８）に掛ける。
また小動物等は腹部より廻し上記同様に両フック（８）に掛け、ビル等の窓が狭い場合は袋状天蓋（３）にガスを注入する前に窓外に出しおき、それからロックピン（６）を引き抜きガス注入弁（２）を操作し袋状天蓋（３）へガスを注入し袋状天蓋（３）が開い後、降下を開始する。
このとき降下速度が速い時は、ガス注入弁（２）を再度操作し袋状天蓋（３）にガスを再注入して降下速度を調整し降下する。
【０００７】
【発明の効果】
このように、空気より比重の小さいガスが弁操作により短時間で袋状天蓋に注入される為、そくざに天蓋が開き、ガスの浮力、袋状天蓋の空気抵抗及び天蓋端部形状の３浮力作用により低高度から誰でも安全かつ容易に降下できる。
【図面の簡単な説明】
【図１】本発明の正面図である。
【図２】本発明の肩掛け部、ボンベ部及び天蓋収納時の拡大図である。
【図３】本発明の側面図である。
【符号の説明】
１．ボンベ
２．ガス注入弁
３．袋状天蓋
４．肩掛け
６．ロックピン
７．受体兼用収納帯
８．フック
９．ホック
１０．止め穴
【図１】
2004223190.tif 000003
【図２】
2004223190.tif 000004
【図３】
2004223190.tif 000005
(57)【要約】      （修正有）【課題】ひとつのかばんで何通りもの表情を持たせることが出来る着せ替えかばんの提供。【解決手段】着せ替えパッド６を装着できるかばんにより、前記着せ替えパッド６を変えるだけでさまざまな表情を持つことができ、安価でひとつのバッグでいろいろな表情を楽しむことが出来る。【選択図】図５
2004223229.tif 000002
【特許請求の範囲】
【請求項１】
下部、左右の端をパッドが挟まるように縁を縫いつけ、上部の折返しの内側にパッドを固定するホックをつけたかばん。
【請求項２】
請求項１のかばん上部の折り返し部分ホックにはまるように穴をあけた着せ替えパッド。
【発明の詳細な説明】
【０００１】
【発明の属する技術分野】
本発明はひとつでいろいろと表情を変えられるかばんに関する。
【０００２】
【発明が解決しようとする課題】
従来のかばんはひとつで一通りの表情しか持たなかったものを、ひとつのかばんで何通りもの表情を持たせることが出来る。
【０００３】
【課題を解決するための手段】
かばんの下部、左右に着せ替えパッドが挟まるように縁を縫いつけ、上部の折返しの内側に着せ替えパッドを固定するホックをつける。かばんの大きさに合わせ、且つかばん上部のホックがはまるように穴を開けた着せ替えパッドを作成し、パッドを簡単に取り替え可能にする。
【０００４】
【発明の実施の形態】
本発明を図１〜図４に基づいて説明する。
【０００５】
かばんの大きさに合わせ、１にはまるように穴を開けた６の着せ替えパッドを３及び４に挟むようにスライドさせ、１に５の穴をはめ、１のホックを留めて固定する。
【０００６】
【発明の効果】
複数のかばんを持たなくとも、ひとつのかばんでパッドを変えるだけでいろいろな表情の楽しむことが出来る。複数のかばんを持つよりコストも収納スペー
ス面も削減することが出来る。
【図面の簡単な説明】
【図１】かばん全体図
【図２】着せ替えパッド
【図３】図面１におけるＡ−Ａの断面図
【図４】図面１におけるＢ−Ｂ断面図
【図５】着せ替えパッド装着図
【符号の説明】
１  かばん上部のホック
２  かばん上部の折返し
３  左右の縁
４  下部の縁
５  着せ替えパッドの穴
６  着せ替えパッド
【図１】
2004223229.tif 000003
【図２】
2004223229.tif 000004
【図３】
2004223229.tif 000005
【図４】
2004223229.tif 000006
【図５】
2004223229.tif 000007
(57)【要約】［課題］          従来のアイアンヘッドの三大ミスショット  ダブリ  トップ引っ掛けを解消し  従来のアイアンヘッドよりも  飛躍的に振り抜きの良さを向上させる事を課題とし  それを実現し  提供する。［解決手段］      アイアンヘッド（４）の底部（１）に半球形状の突起（２）もしくは  半円形状の突起（８）を具備した事を特徴とするアイアンヘッド。【選択図】        図１
2004223223.tif 000002
【特許請求の範囲】
【請求項１】
アイアンヘッド（４）の底部（１）に半球形状の突起（２）  もしくは  半円形状の突起（８）を具備したアイアンヘッド
【発明の詳細な説明】
この発明は  ゴルフクラブのアイアンヘッドに関するものである。
その発明とは  従来のアイアンヘッドの底部（１）に半球形状の突起（２）  もしくは  半円形状の突起（８）（以下略す）を設けたものである。
従来のアイアンヘッドの底部に半球形状の突起（２）を具備したものは存在しないのである。その為  従来のアイアンヘッドは  振り抜きを良くするために  底部の面取り等で対応しているのである。しかし  アイアンヘッドの打面下部（３）の形状により  ダブレば  芝にアイアンヘッドが突き刺さりヘッドが振り抜けず  チョロボールになる。又  必要以上にターフを削り取るため  ボールが飛ばないのである。更に  ヘッドの返りが遅いと打面下部（３）あるいは底部（１）に直接ボールが当たり  トップボールとなるのである。加えて  ラフにおいては打面下部（３）の形状により  雑草が絡み易く  振り抜きが悪くなり  又  ボールと打面の間に雑草が噛み込み  フライヤーになったり  全然ボールが飛ばなかったりするのである。
又  僅かなタイミングの狂いで  ヘッドが返りすぎたり  ヒール側のみが芝に喰い込み  トウ側が返る事で  引っ掛けが発生するのである。
本発明は  これらの従来のアイアンヘッドのアイアンショットにおける三大ミスショットの  １  ダブリ  ２  トップ  ３  引っ掛け  を解消する為に発明したものである。本発明は  これらの欠点を解消するのは勿論の事  更にその上に  その形状の良さからも判るように  芝芽の抵抗も無く  番手を超えた振り抜きの良さを実現し  ヘッドスピードあるいはスイングスピードを上昇させる事により更にボールの飛距離が伸びるのである。
本発明の効果
１  ダブリに関し  本発明の形状から  底部（１）に設けた半球形状の突起（２）が芝に喰い込む事を防ぎ  ダブリを解消するのである。
２  トップに関し  本発明の形状から  底部（１）に設けた半球形状の突起（２）が  打面下部（３）や底部（１）よりもヘッドの着地時に先に芝に接触しヘッドの返りをうながし  トップを解消するのである。
３  引っ掛けに関し  ヘッドの返り過ぎを  半球形状の突起（２）が芝と接触する事により  これを阻止し  又  ヒール側のみが芝に喰い込み  トウ側が返る引っ掛けも  半球形状の突起（２）が先に芝と接触する事によりこれを防止し  合わせて  引っ掛けを解消するのである。
ちなみに  ボールとクラブのインパクト時のタイムは一万分の五秒である。
以上の結果から  本発明のアイアンヘッド（４）は  従来のアイアンヘッドのゴルフショットの三大ミスショットを解消し  更には  その形状の特徴から  従来のアイアンヘッドにない  振り抜きの良さを実現したものである。又  ラフにおいても  その形状の特性を生かし  余分な芝を噛む事がなく  スムーズに振り抜く事が出来るのである。
これらの事は  総て  実際のコースで使用し  実証出来得た事を記述したものである。又  半球形状の突起（２）を複数にする事もできる。
直  本考案の実施態様として  ウッドクラブヘッド及びパターヘッドも考えられるのである。
【図面の簡単な説明】
【図１】本発明の正面図
【図２】本発明の底面図
【図３】本発明のＡ−Ａ線断面図  及び  模式図
【図４】本発明の正面図
【図５】本発明の底面図
【図６】本発明のＢ−Ｂ線断面図
【符号の説明】
１は底部            ２は半球形状の突起        ３は打面下部
４はアイアンヘッド  ５はスコアーライン        ６はボール
７は芝              ８は半円形状の突起
【図１】
2004223223.tif 000003
【図２】
2004223223.tif 000004
【図３】
2004223223.tif 000005
【図４】
2004223223.tif 000006
【図５】
2004223223.tif 000007
【図６】
2004223223.tif 000008
(57)【要約】【課題】暗い場所で自動車玩具を走行させた場合に、車体の存在感、移動感スピード感を高める視覚的効果を得ることを可能とする自動車玩具用走行路を提供する。【解決手段】自動車玩具（４）を走行させることを目的とした走行路（１）において、蓄光機能を有する素材を用いた蓄光層（２）を、路面上方からの光が蓄光層（２）に届き、かつ、路面上方から蓄光層（２）の発光が見えるように、かつ自動車玩具（４）が走行するコースに沿って走行路上の連続した広い範囲に備えたことを特徴とする。【選択図】図１
2004223221.tif 000002
【特許請求の範囲】
【請求項１】
自動車玩具（４）を走行させることを目的とした走行路（１）において、蓄光機能を有する素材を用いた蓄光層（２）を、路面上方からの光が蓄光層（２）に届き、かつ、路面上方から蓄光層（２）の発光が見えるように走行路面に備えたことを特徴とする自動車玩具用走行路。
【請求項２】
前記蓄光層（２）を、自動車玩具（４）が走行するコースに沿って走行路上の連続した広い範囲に備えたことを特徴とする自動車玩具用走行路。
【発明の詳細な説明】
【０００１】
【発明の属する技術分野】
本発明は、自動車玩具を走らせることを目的とした走行路に蓄光機能を広い範囲に設け、暗い場所で使用した場合に紫外線の照射手段と組み合わせることによって路面の任意の部分を発光させて、視覚的効果を作り出せるようにしたことを特徴とする自動車玩具用走行路に関するものである。
【０００２】
【従来の技術】
従来、自動車玩具用の走行路は、視覚的効果を演出する手段についてはあまり考慮されず、単調な色で着色されたものがほとんどであった。
【０００３】
【発明が解決しようとする課題】
これらには、次のような欠点があった。
自動車玩具にはヘッドライトや、ブレーキランプを模した照光機能を備えたものがあるが、これを走行させる走行路の側には、視覚的に面白く演出する工夫がほとんど無かった。
また、ビデオゲームと比べると、タイヤの跡を路面に残す、あるいはヘッドライトやブレーキランプの光が流れるなどの視覚的効果は得られず、迫力が不足していた。
本発明は、これらの欠点を失くすためになされたものである。
【０００４】
【課題を解決するための手段】
自動車玩具（４）を走行させることを目的とした走行路（１）において、蓄光機能を有する素材を用いた蓄光層（２）を、路面上方からの光が蓄光層（２）に届き、かつ、路面上方から蓄光層（２）の発光が見えるように、コースに沿って走行路上の連続した広い範囲に備えた。
本発明は以上の構成よりなる自動車玩具用走行路である。
【０００５】
【発明の実施の形態】
以下、本発明の実施の形態について説明する。
自動車玩具を走行させることを目的とした走行路（１）において、蓄光機能を有する素材を用いた蓄光層（２）を、路面表面、もしくは内部に設ける。
蓄光層を設ける範囲は、自動車玩具が走行するコースに沿って走行路面上になるべく広い連続した範囲とする。
蓄光層（２）を設ける手段を図１から図４に４通り示す。
図１においては、走行路（１）を透明、もしくは半透明色の成型材にて成型し、路面の裏側から蓄光機能シートを上面に貼り付けた、もしくは蓄光機能塗料によって上面を塗装し、蓄光層（２）を形成したプレート（３）を取り付ける。
塗装の場合、プレート部材（３）の色調は白色又は乳白色とすることで、蓄光層（２）の発光輝度を高めることが出来る。
なお、走行路（１）に半透明の蛍光色の成型材料を用いると、より高い視覚効果が得られる。
【０００６】
図２においては、路面表面に蓄光層（２）として蓄光機能塗料を塗装や印刷などの手段を用いて付着させる。
走行路（１）の色調が暗い色の場合は下地層（５）を白色で塗装もしくは印刷などの手段にて設けることで蓄光層（２）の発光輝度を高めることが出来る。
【０００７】
図３においては、路面表面に蓄光層（２）として蓄光機能シートを粘着シート（６）を用いて貼り付ける。
【０００８】
図４においては、走行路（１）本体を、蓄光機能剤を混合した成型材を用いて成型するものである。
以上、これらのいずれかの形態をとることによって、路面上方からの光が蓄光層（２）に届き、かつ、路面上方から蓄光層（２）の発光が見えるようにすることが出来、蓄光層の範囲を路面全体に取ることが可能である。
尚、蓄光機能シート、蓄光機能塗料、蓄光機能成型材については本発明の範疇ではなく夫々の発明にて詳しく述べられており、既に市販され普及しているためこれらの説明は省く。
【０００９】
これらの構造により、路面上から紫外線を照射すれば、蓄光層（２）を発光させ、自動車玩具（４）を照らし出すことが出来、また、本発明とは別の発明である図５に示すような自動車玩具（４）側に小型の紫外線光源（７）を備えたものと併用することによって、様々なパターンの光跡を路面に描くことが可能となるのである。
本発明はこれらのような機能を備えるため、路面の装飾として細い車線分離帯やスプライト模様等を施すなど、部分的に着色するものとは異なるものである。
【００１０】
【発明の効果】
本発明により、暗い場所において、外部からブラックライト等の紫外線光源で走行路を照らすことによって、路面が発光し、上を走行する自動車玩具（４）の車体を照らし出す視覚効果を得られる。
また、本発明とは別の発明である図５に示すような車体の底面に紫外線発光装置（７）を備え、走行路の路面に紫外線を照射するようにした自動車玩具（４）と併用した場合においては、自動車玩具（４）のヘッドライトの照光機能と併用すればヘッドライトの光が流れるように見える視覚効果が得られ、自動車玩具（４）のブレーキランプの照光機能と併用し、点灯と同時に紫外線を照射するようにすれば、ブレーキランプの光が流れるように見える視覚効果が得られる。
また、各々の車輪の側に紫外線照明装置（７）が配置されていれば本発明品を走行時にはタイヤの跡のように光跡を描きながら走行することが可能となる。
これらによって、車体の存在感、移動感、スピード感を高める視覚効果を得ることが出来るようになる。
【図面の簡単な説明】
【図１】本発明の実施例１断面図
【図２】本発明の実施例２断面図
【図３】本発明の実施例３断面図
【図４】本発明の実施例４断面図
【図５】紫外線照明装置を備えた自動車玩具の断面図
【符号の説明】
（１）  走行路
（２）  蓄光層
（３）  プレート
（４）  自動車玩具
（５）  下地層
（６）  両面粘着シート、あるいは接着剤
（７）  紫外線照明装置
【図１】
2004223221.tif 000003
【図２】
2004223221.tif 000004
【図３】
2004223221.tif 000005
【図４】
2004223221.tif 000006
【図５】
2004223221.tif 000007
(57)【要約】      （修正有）【課題】トレーニング器機利用者の安全を図り、直線運動だけでなく回転運動にも対応し、変更可能な負荷機構を持ち、適切に広汎な部位の筋肉トレーニングを行える器機の開発。【解決手段】器機の可動部にロータリーダンパー１１を組み込み、回転運動に対応した負荷を発生させる。【選択図】図１
2004223222.tif 000002
【特許請求の範囲】
【請求項１】
筋肉トレーニングに用いる用具で、回転負荷源としてロータリーダンパーを使用したもの。
【請求項２】
ホイール部にロータリーダンパーを組み込んだ、回転負荷を持つ汎用性のある車輪。
【発明の詳細な説明】
【０００１】
【発明の属する技術分野】
筋肉をトレーニングする器機。
【０００２】
【従来の技術】
ゴムやバネやウエイトを負荷に用いた筋肉トレーニング器機は、負荷設定を誤ると負荷の反力で怪我を負うリスクが伴う。一方、ショックアブソーバ等の油圧負荷を利用した器機は、反力を生じず安全性は高いが、運動が直線方向に限定されやすい。
【０００３】
【発明が解決しようとする課題】
トレーニング器機利用者の安全を図り、直線運動だけでなく回転運動にも対応し、変更可能な負荷機構を持ち、適切に広汎な部位の筋肉トレーニングを行える器機の開発。
【０００４】
【課題を解決するための手段】
筋肉トレーニング器機の可動部にロータリーダンパーを組み込み、正転・逆転両方の回転運動にも対応した負荷を発生させる。
【０００５】
【発明の実施の形態】
図１に本発明の概略を示す。ここでは胸筋等をトレーニングする１例であるが、同様の機能を有する既存の器具では、コイルスプリングを用いたものが有る。２本の棒を自由回転するヒンジで結合し、ヒンジ部にロータリーダンパーを組み込む。ロータリーダンパーの負荷は、オリフィスによってに調節可能とする。
図２に回転負荷を持つ車輪の応用例を示す。類似する既製品にギアの減速機構を用いて腹筋等をトレーニングするものがある。本発明の例では、車輪のホイール部にロータリーダンパーが組み込まれており、既製品に比べ同一機能で小型化が図れ、分解すると更にコンパクトになり、収納や携帯にも適している。
【０００６】
【発明の効果】
ゴムやバネやウエイトの反力による怪我のリスクが無く、安全で簡便に筋肉トレーニングが行える。一般に、ゴムやバネやウエイトの負荷は負荷の方向が１方向であるが、本機構の場合は逆方向にも負荷が作用し、所謂裏側の筋肉トレーニングも一連の動作で可能となる。
【０００７】
【図面の簡単な説明】
【図１】本発明の基本的構成の１例であり、上腕や胸筋や背筋等のトレーニングに供する。図のグリップ部１２と１３を握り、くの字型器具の挟み角を縮めたり広げたりして筋肉のトレーニングを行う。その他の用法例では、片側を固定し肘から先を動かして上腕のトレーニング等にも使用できる。
回転負荷を持つので、器具形状のにより様々な筋肉トレーニングに応用できる
【図２】車輪のホイール部にロータリーダンパーを組み込んだ用具の応用例を示す。同一機能の既製品はギアの減速機構を用いたものが有る。利用者は膝を床につき、両手でグリップを握り、器具を床に走らせながら体を前後させ、腹筋や背筋のトレーニングを行う。
【０００８】
【記号の説明】
１１    ヒンシに組み込まれたロータリーダンパー
１２    右手グリップ部
１３    左手グリップ部
２１    車輪のホイール部に組み込まれたロータリーダンパー
２２    右手グリップ部
２３    左手グリップ部
【図１】
2004223222.tif 000003
【図２】
2004223222.tif 000004
(57)【要約】【課題】打ち球の受入れ率を高めるもので、狭いスペースに配置することができるアタッカーとチャッカーを併設したコンパクトな小入賞装置を提供すること。【解決手段】所定条件により入賞領域を変動する可動体１５を備えた入賞口とチャッカー入賞口４を併設させた一体型で、全体をコンパクトにしたことを特徴とする。【選択図】                図２
2004223228.tif 000002
【特許請求の範囲】
【請求項１】
遊技盤面に取り付ける取付板は、所定条件により入賞領域を変動する可動体と、該可動体を作動する電気的駆動源を備えた入賞口と、隣接してチャッカー入賞口を一つ備えたことを特徴とするパチンコ機の入賞装置。
【発明の詳細な説明】
【０００１】
【発明の属する技術分野】
本発明は、所定条件により入賞領域を変動する可動体とチャッカー入賞口を一つ備えた入賞装置に関するものである。
【０００２】
【従来の技術】
従来、周知のようにパチンコ機の遊技盤面の入賞装置は、遊技盤面の取り付ける取付板の前面に開閉自在な開閉扉に軸支させ、取付板の裏面に設けた箱枠内に入賞口を組み付け、箱枠の後面に取り付ける裏板の後面に開閉扉を開閉するためのソレノイドを組み付けたものと、前記のもので開閉扉の左右両側にそれぞれチャッカー入賞口を設けたといったような構成になっている。
【０００３】
【発明が解決しようとする課題】
上記した従来のこの種のパチンコ機の入賞装置では、同様の入賞装置である中央に入賞口が設けてあるチューリップ式の代替にならず、狭いスペースながらチューリップ式よりも打ち球を拾い易い開閉扉方式で、遊技領域の有効スペースに合うように全体をコンパクトにしたパチンコ機の入賞装置を提供することを目的とするものである。
【０００４】
【課題を解決するための手段】
かかる目的を達成するために、請求項１記載の発明は、所定条件により入賞領域を変動する可動体と、該可動体は作動する電気的駆動源を備え、前記可動体に隣接してチャッカー入賞口を一つ併設し、該チャッカー入賞口と前記可動体を並列に配して天地の位置関係で、それぞれの天の並び位置を可及的に小差とした構成とから成り、前記可動体と前記チャッカー入賞口を備えたコンパクトな一体型にしたこととを特徴とする。
【０００５】
【発明の実施の形態】
以下に、本発明に係るパチンコ機の入賞装置の実施の形態を図面と共に説明する。図１は本発明に係る入賞装置の正面図、図２はその斜視図、図３はその一部を縦断して示す側面図、図４はその上面図、図５はその分解斜視図である。
【０００６】
図において、１は後記するパチンコ機の遊技盤ａ面に取り付けられる取付板であり、該取付板１は、中央部に凹溝６ａを備えた球入口２の開口を設け、該球入口２の後面で下方の後端にボス８を有した通路部７と、上方の前端に扉止片１０ａと後端に支持受１１ａを有した組付部９を突設し、左横方にピン止部１２を突設したものと、前記球入口２の右方に球通路３の開口を設け、該球通路３の前面にガイド片５を有したチャッカー入賞口４を突設し、該チャッカー入賞口４の後面の下方に案内部１３と、上方にセンサー止部１４を突設したものであり、前記取付板１の後側に配する開閉扉１５は、下端の左右に回転軸１６ａと後面の左下方に係合突起１７を有し、該回転軸１６ａと前記凹溝６ａを係合し、前記開閉扉１５の後側に配する丸透孔２１を有したＬ字型の制動体１９は、前端に係合片２０と他端にスピンドル係合片２２を設けてあり、該制動体１９の後側に配する球通箇所２６と溝箇所２５を施した裏板体２４は、前面の上方の左右に支持突起２７ａと左右端に壁部２８を突設し、後面には左上方に受溝３１ａを有したソレノイド取付枠３０ａを突設し、該ソレノイド取付枠３０ａの左下端に透孔３４を有した支持部３３を設け、該透孔３４と前記丸透孔２１をピン２３で軸支して連結し、前記係合片２０を前記係合突起１７に係合させ、前記支持受１１ａと前記支持突起２７ａを螺締するビス２９ａで固着し構造である。
【０００７】
前記ソレノイド取付枠３０ａの内にソレノイド３５を挿入し、スピンドル３６と前記スピンドル係合片２２を係合し、該ソレノイド３５を前記受溝３１ａから螺締するビス３２ａで固着し、前記球通路３の上端にセンサーを後側から嵌込んで取り付けた構成である。
【０００８】
このように組立てられた入賞装置Ａは、ソレノイド３５が消磁した状態のとき、スピンドル３６が巻装した復帰ばね３７の付勢によって前方に押し付けられており、制動体１９の係合片２０が開閉扉１５の係合突起１７に係合して開閉扉１５を時計回り方向に回動付勢している。このため開閉扉１５は閉成状態に維持される。一方、ソレノイド３５が励磁されるとスピンドル３６を巻装した復帰ばね３７の付勢に抗して吸引し、制動体１９が後方に引かれ係合片１９により係合突起１７を上動させ、開閉扉１５が反時計回り方向に回動されて開成する。即ち、ソレノイド３５が励磁により開閉扉１５を開口し打ち球を受入れて入賞させる状態にしたり、ソレノイド３５が消磁により開閉扉１５を閉口し打ち球を受入れず入賞出来ない状態にする。
【０００９】
以上のように本発明に係わるパチンコ機の入賞装置Ａは上記構成よりなり、遊技盤面ａの前面を流下するパチンコ球の多い数側に開閉扉を配置してパチンコ球を受け入れて入賞させたり、受け入れを不可能にしたりしすることで、遊技者にとって有利となり、これにより面白さを増大させるこができる。
【００１０】
【発明の作用及び効果】
以上、述べたように本発明に係るパチンコ機の入賞装置は、遊技盤面の前面を流下するパチンコ球の量がセンター中心として多い左側に開閉扉を位置させ、パチンコ球の受け入れを容易にできるようにすることで、遊技者が有利になることができ、尚、装置にアタッカーとチャッカーが併設してあるために取付作業の高効率化で貢献できる。
【図面の簡単な説明】
【図１】本発明に係る入賞装置の正面図。
【図２】同斜視図。
【図３】同一部を縦断して示す側面図。
【図４】同上面図。
【図５】同分解斜視図。
【符号の説明】
Ａ        入賞装置
１        取付板
２        球入口
４        チャッカー入賞口
７        通路部
９        組付部
１５      開閉扉（可動体）
１８      センサー
１９      制動体
２４      裏板体
３０ａ    ソレノイド取付枠
３５      ソレノイド（電気的駆動源）
ａ        遊技盤
【図１】
2004223228.tif 000003
【図２】
2004223228.tif 000004
【図３】
2004223228.tif 000005
【図４】
2004223228.tif 000006
【図５】
2004223228.tif 000007
(57)【要約】【課題】  穿孔具を進めているときに、キルシュナーねじワイヤが孔内で行き詰まったかを、Ｘ線操作を使用せずに術者が判断することを可能にする。【解決手段】  長手の軸部１２を備え、穿孔部１４を軸部１２の前端に、回転式ねじ込み具との連結用の固定部１６を後端に備え、ガイドワイヤを受け入れるための軸心貫通孔を形成した骨用、特に近位大腿骨用の穿孔具１０であって、軸部１２が、軸心孔につながる少なくとも１つの開口２８を後部２６に備えている。【選択図】        図１
2004223261.tif 000002
【特許請求の範囲】
【請求項１】
長手の軸部を備え、穿孔部を軸部の前端に、回転式ねじ込み具との連結用の固定部を軸部の後端に備え、ガイドワイヤを受け入れるための軸心貫通孔を形成した骨用、特に近位大腿骨用の穿孔具であって、
軸部（１２）が、軸心貫通孔（２２）につながる少なくとも１つの開口（２８）を後部（２６）に備えていることを特徴とする近位大腿骨用穿孔具。
【請求項２】
軸心孔（２２）につながる開口（２８）が軸部（１２）の径方向に対向する側部にそれぞれ形成されていることを特徴とする請求項１に記載の近位大腿骨用穿孔具。
【請求項３】
長手の、軸心方向に平行な１つの開口（２８）が設けられていることを特徴とする請求項１または２に記載の近位大腿骨用穿孔具。
【請求項４】
開口（２８）が固定部（１６）に近接して形成されていることを特徴とする請求項１から３のいずれかに記載の近位大腿骨用穿孔具。
【発明の詳細な説明】
【技術分野】
【０００１】
本発明は、長手の軸部を備え、穿孔部を軸部の前端に、回転式ねじ込み具との連結用の固定部を軸部の後端に備え、ガイドワイヤを受け入れるための軸心貫通孔を形成した骨用、特に近位大腿骨用の穿孔具に関する。
【背景技術】
【０００２】
大腿骨、特に身体の中心に近い近位大腿骨の骨折の修復に、大腿骨頸部ピン、特に大腿骨頸部ねじを使用することが知られている。それらは、いわゆるポール（Ｐｏｈｌ）当て板あるいは固定くぎのいずれかとの組合せで導入される。前者の場合、骨に髄外固定される当て板は大腿骨頸部ねじを受け入れるスリーブを含む。後者の場合、固定くぎは大腿骨頸部ねじを受け入れる斜めの孔を持つ。
【０００３】
骨に大腿骨頸部ねじをしっかりと取り付けるために、大腿骨頸部ねじをねじ込む前に、通常、骨にコアねじ山径の程度の穿孔を行う。
【０００４】
そのような穿孔工程の前に、骨の穿孔軸心、したがって大腿骨頸部ねじの位置をＸ線操作で最初に決定する必要がある。これは通常、キルシュナーねじワイヤを用いて行う。正確な位置を決定した後、キルシュナーねじワイヤは骨内に残され、穿孔具用の、そしてその後で大腿骨頸部ねじのねじ込みのガイドとして用いられる。このために、穿孔具と大腿骨頸部ねじの両方に軸心孔が設けられる。
【０００５】
穿孔具は、適当な穿孔部を長手の軸部の前端に、回転式ねじ込み具との連結用の固定部を後端に備える。
【発明の開示】
【発明が解決しようとする課題】
【０００６】
しかしながら、このような構成を有する従来例の場合には、次のような問題がある。
【０００７】
すなわち、不利な状況の下では、比較的細いキルシュナーねじワイヤが、大腿骨頸部に導入される際に曲がってしまうことがある。したがって、キルシュナーねじワイヤの位置をＸ線操作でモニターすることが不可欠である。これによって、ねじれた部分が穿孔具または大腿骨頸部ねじの孔内で行き詰まって、ワイヤが股関節に不測に進入することを防ぐ。いずれにしても、これを回避する必要がある。
【０００８】
本発明の目的は、穿孔具を進めているときに、キルシュナーねじワイヤが孔内で行き詰まったかを、Ｘ線操作を使用せずに術者が判断することを可能にする、骨用、特に近位大腿骨用の穿孔具を提供することにある。
【課題を解決するための手段】
【０００９】
上記目的はクレーム１の特徴により達成される。
【００１０】
すなわち、本発明の穿孔具では、軸部が、軸心孔につながる開口を後部に備えている。好ましくは、軸心孔につながる開口が径方向に対向して２つ設けられる。
【００１１】
発明の他の観点によれば、開口は長手の形状で、軸部の軸心方向に平行に延びる。好ましくは、開口は軸部の固定部に近接して形成される。
【００１２】
骨の外にあって、穿孔工程時にチェックできる開口によって、術者は、穿孔具の前進中に穿孔具とキルシュナーねじワイヤとの間に相対移動が生じたかを確認することができる。相対移動がない場合、術者は、キルシュナーねじワイヤが穿孔具の孔内で行き詰まり、したがって別のものと取り替える必要があることがわかる。したがって、その少なくとも１つの開口は、ガイドワイヤまたはピンの位置を外科医が知ることができる観察窓である。
【００１３】
さらに、通常、穿孔具の骨内への進入深さを確認することから、長手の開口は、大腿骨頸部にねじ込まれたキルシュナーねじワイヤの長さを調べることを可能にする。穿孔具に対するキルシュナーねじワイヤの位置が限界まで変化すれば、穿孔工程を中止し、別のキルシュナーねじワイヤを導入する必要がある。
【発明の効果】
【００１４】
本発明に係る近位大腿骨用穿孔具によれば、穿孔工程時に軸部後部に備わる開口を介して、術者は、穿孔具の前進中に穿孔具とキルシュナーねじワイヤとの間に相対移動が生じたかを確認することができる。相対移動がない場合、術者は、キルシュナーねじワイヤが穿孔具の孔内で行き詰まり、したがって別のものと取り替える必要があることがわかる。
【実施例】
【００１５】
以下、図示の実施例を参照して発明をより詳細に説明する。
【００１６】
図１および図２で、穿孔具１０は長手の軸部１２を持ち、その前端には、詳細な説明を省略する２段階穿孔部１４が設けられている。穿孔具１０は、骨折した近位大腿骨の大腿骨頸部に穿孔するためのものである。軸部１２の後端には固定部１６が設けられている。軸部１２上で移動可能で、パチンとはまって位置決め可能なスライド１８が、所望の穿孔深さの設定に役立つ。スライド１８がはまり、穿孔深さを示す複数個の周溝２０が形成されている。スライド１８は図２では省略されている。
【００１７】
穿孔具１０は軸心貫通孔２２を有する。それは、図２中で部分的に示されるキルシュナーねじワイヤ２４を受け入れるためのものである。軸部１２の固定部１６付近の後部２６に、軸心方向に平行で径方向に対向する２つのスロットが形成され、そのうちの一方が２８で示されている。スロット２８は軸心孔２２と連通している。これによって、軸心孔２２内のキルシュナーねじワイヤ２４の端部３０がよく見える。したがって、穿孔工程の間、術者はキルシュナーねじワイヤ２４、つまりその自由端３０の相対位置をよく見ることができ、軸部１２がキルシュナーねじワイヤ２４に対して、あるいはそれと共に進められているかを確認できる。
【００１８】
１つの開口の代わりにいくつかの開口を設け、それらを順次、あるいは周方向にオフセット配置させることができる。
【図面の簡単な説明】
【００１９】
【図１】発明による穿孔具の側面図である。
【図２】図１の穿孔具の後端を示す斜視図である。
【符号の説明】
【００２０】
１０  …  穿孔具
１２  …  軸部
２４  …  キルシュナーねじワイヤー
２６  …  後部
２８  …  スロット
【図１】
2004223261.tif 000003
【図２】
2004223261.tif 000004
(57)【要約】      （修正有）【課題】患者の処方薬に対する知識と自覚をより向上させ、また保険調剤による医療費を削減させる。【解決手段】免許証等からＩＤカードを作り、本人か識別し、本人であれば▲１▼で手洗い等を行っていただき、ポケット等のない白衣を着てもらう。▲２▼で薬剤師による処方箋の監査を行い、散剤、液剤、向精神薬、覚せい剤原料、麻薬、注射薬、自家製剤、計量混合調剤以外の薬は薬剤師の監視の下、自己調剤していただく。調剤後、再度薬剤師が監査をし、調剤料を差し引いた調剤料を請求する。【選択図】図１
2004223211.tif 000002
【特許請求の範囲】
【請求項１】
薬剤師の監視及び監査の下で、自己調剤可能なシステム。
【発明の詳細な説明】
【０００１】
【発明の属する技術分野】
本発明は、本来薬剤師が行う調剤業務を薬剤師の監視下で、患者自身が調剤し、自分の処方薬に対する自覚を持っていただき、なおかつ保険調剤に伴う医療費を削減させるための調剤薬局業務に関するものである。
【０００２】
【従来の技術】
従来は、薬剤師が薬の調剤を行い、患者は処方薬と調剤料への細かい知識や自覚を持っていない部分があった。
【０００３】
【発明が解決しようとする課題】
患者の処方薬に対する知識と自覚をより向上させ、また保険調剤による医療費を削減させる。
【０００４】
【課題を解決するための手段】
薬剤師の監視下で、患者自身に処方薬の調剤を行ってもらう。
【０００５】
【発明の実施の形態】
本人の識別をするため、ＩＤカードを作る。（免許証等で確認をする。）薬剤師が処方箋の監査をしたあと、患者本人にポケット等のない白衣を着用させ、散剤、液剤、向精神薬、覚せい剤原料、麻薬、注射薬、自家製剤、計量混合調剤以外の薬を患者自身に薬剤師の監視の下、自己調剤してもらう。調剤後、薬剤師が薬剤監査をして、自己調剤料を差し引いた調剤料を請求する。
【０００６】
【発明の効果】
患者に処方薬の知識と自覚をもっていただいて、保険調剤に伴う医療費を軽減させる。
【図面の簡単な説明】
【図１】平面図
【符号の説明】▲１▼患者手・指等消毒洗面台
▲２▼薬剤師による、処方箋監査及び調剤後薬剤監査台
▲３▼内服台
▲４▼外用台
▲５▼薬袋記入及びセルフ調剤台
▲６▼液剤、散剤、向精神薬等投薬カウンター
▲７▼散剤、液剤、向精神薬、覚せい剤原料、
麻薬、注射薬、自家製剤、計量混合調剤等調剤室
【図１】
2004223211.tif 000003